(57)【要約】  防犯装置が、スプール、係止機構、ボタン、プラグ及びラッチを有することができる。スプールは、対象物に巻き付くようにケーブルを巻き取るか又は引き出すように構成される。係止機構は、スプールを部分的に係止するように構成される。ボタンを用いて、係止機構を係止位置と係止解除位置との間で移動させることができる。装置のハウジング内にプラグを挿入することによって、ボタンがスプールを係止解除するように作動されることができないようにボタンをブロックすることができる。プラグを、ラッチによってハウジングに固定することができ、ラッチは、プラグの許可されていない取外しを防止する。係止機能を強化するために、ラッチ及びプラグを、ラッチを移動させプラグを解放するために少なくとも２つの力が必要であるように構成することができる。スプール、係止機構及びボタンを共通軸に沿って積み重ねることにより、より小型化された設計を提供することができる。【選択図】  図１Ｂ
2012524333.tif 000002
【特許請求の範囲】
【請求項１】
対象物に取り付けられるように構成された防犯装置であって、
ハウジングと、
第１の方向及び第２の方向の両方に回転可能であるように、前記ハウジング内に回転可能に支持されるスプールと、
係止位置と係止解除位置との間で移動可能な係止機構であって、該係止位置では、該係止機構は、前記スプールが前記第１の方向に回転しないようにする一方で、前記第２の方向に回転するのを妨げないように位置決めされ、該係止解除位置では、該係止機構は、前記スプールが前記第１の方向又は前記第２の方向に回転するのを妨げないように位置決めされる、係止機構と、
該防犯装置が前記対象物に取り付けられていないときに前記ハウジングの外側からアクセス可能であり、前記係止位置と前記係止解除位置との間で前記係止機構を移動させるように構成されるボタンと、
挿入位置と取外し位置との間で移動可能なプラグであって、該挿入位置では、該プラグの少なくとも一部は、前記ボタンが前記係止機構を前記係止位置から移動させないように位置決めされ、該取外し位置では、該プラグは、前記ボタンが前記係止機構を前記係止位置から移動させるのを妨げないように位置決めされる、プラグと、
係合位置と係合解除位置との間で移動可能なラッチであって、該係合位置では、該ラッチの少なくとも一部は、前記プラグが前記取外し位置に向かって移動しないように位置決めされ、該係合解除位置では、該ラッチは、前記プラグが前記取外し位置に向かって移動するのを妨げないように位置決めされる、ラッチと、
を具備する、防犯装置。
【請求項２】
前記係合位置にある前記ラッチと前記挿入位置にある前記プラグとは、前記ラッチを前記係合位置から前記係合解除位置に向かって移動させるために第１の力及び第２の力を必要とするように構成される、請求項１に記載の防犯装置。
【請求項３】
前記ハウジングから少なくとも前記プラグまで延在する少なくとも１つのケーブルループを形成するように構成されたケーブルであって、該ケーブルの第１の端部は前記スプールに接続され、前記ケーブルの第２の端部は、前記第１の方向への前記スプールの回転により前記ケーブルループが長くなり、前記第２の方向への前記スプールの回転により前記ケーブルループが短くなるように固定される、ケーブルをさらに具備する、請求項１に記載の防犯装置。
【請求項４】
前記ボタンは、前記防犯装置が前記対象物に取り付けられるとアクセス不能であるように位置決めされる、請求項１に記載の防犯装置。
【請求項５】
前記スプール、前記係止機構及び前記ボタンの各々は、空間的に共通の軸を中心に位置決めされる、請求項１に記載の防犯装置。
【請求項６】
前記係止機構は、前記共通の軸に沿って移動可能である、請求項１に記載の防犯装置。
【請求項７】
前記挿入位置では、前記プラグは、前記共通軸に対して実質的に垂直である、請求項６に記載の防犯装置。
【請求項８】
前記ラッチは、前記共通の軸に対して平行な軸に沿って移動可能である、請求項７に記載の防犯装置。
【請求項９】
ＥＡＳタグをさらに具備する、請求項１に記載の防犯装置。
【請求項１０】
可聴警報器をさらに具備する、請求項８に記載の防犯装置。
【請求項１１】
第２のハウジングをさらに具備し、前記第１のハウジングは前記可聴警報器を収容し、該第２のハウジングは前記ＥＡＳタグを収容する、請求項１０に記載の装置。
【請求項１２】
対象物に取り付けられるように構成された防犯装置であって、
ハウジングと、
第１の方向及び第２の方向の両方に第１の軸を中心に回転可能であるように、前記ハウジング内に回転可能に支持されるスプールと、
前記スプールを回転させるハンドルと、
係止位置と係止解除位置との間で前記第１の軸に沿って移動可能な係止機構であって、該係止位置では、該係止機構は、前記スプールが前記第１の方向に回転しないようにする一方で、前記第２の方向に回転するのを妨げないように位置決めされ、該係止解除位置では、該係止機構は、前記スプールが前記第１の方向又は前記第２の方向に回転するのを妨げないように位置決めされる、係止機構と、
該防犯装置が前記対象物に取り付けられていないときに前記ハウジングの外側からアクセス可能であり、前記第１の軸に沿って移動可能であり、前記係止位置と前記係止解除位置との間で前記係止機構を移動させるように構成されるボタンと、
挿入位置と取外し位置との間で移動可能なプラグであって、該挿入位置では、該プラグの少なくとも一部は、前記ボタンが前記係止機構を前記係止位置から移動させないように位置決めされ、該取外し位置では、該プラグは、前記ボタンが前記係止機構を前記係止位置から移動させるのを妨げないように位置決めされる、プラグと、
を具備する、防犯装置。
【請求項１３】
前記ハウジングから少なくとも前記プラグまで延在する少なくとも１つのケーブルループを形成するように構成されたケーブルであって、該ケーブルの第１の端部は前記スプールに接続され、前記ケーブルの第２の端部は、前記第１の方向への前記スプールの回転により前記ケーブルループが長くなり、前記第２の方向への前記スプールの回転により前記ケーブルループが短くなるように固定される、ケーブルと、
係合位置と係合解除位置との間で移動可能なラッチであって、該係合位置では、該ラッチの少なくとも一部は、前記プラグが前記取外し位置に向かって移動しないように位置決めされ、前記係合解除位置では、該ラッチは、前記プラグが前記取外し位置に向かって移動するのを妨げないように位置決めされる、ラッチと、
をさらに具備する、請求項１２に記載の防犯装置。
【請求項１４】
前記係合位置にある前記ラッチと前記挿入位置にある前記プラグとは、前記ラッチを前記係合位置から前記係合解除位置に向かって移動させるために第１の力及び第２の力を必要とするように構成される、請求項１３に記載の防犯装置。
【請求項１５】
前記挿入位置では、前記プラグは、前記第１の軸に対して実質的に垂直である、請求項１４に記載の防犯装置。
【請求項１６】
対象物に取り付けられるように構成された防犯装置であって、
ハウジングと、
第１の方向及び第２の方向の両方に第１の軸を中心に回転可能であるように、前記ハウジング内に回転可能に支持されるスプールと、
係止位置と係止解除位置との間で移動可能な係止機構であって、該係止位置では、該係止機構は、前記スプールが前記第１の方向に回転しないようにする一方で、前記第２の方向に回転するのを妨げないように位置決めされ、該係止解除位置では、該係止機構は、前記スプールが前記第１の方向又は前記第２の方向に回転するのを妨げないように位置決めされる、係止機構と、
該防犯装置が前記対象物に取り付けられていないときに前記ハウジングの外側からアクセス可能であり、移動可能であり、前記係止位置と前記係止解除位置との間で前記係止機構を移動させるように構成されるボタンと、
挿入位置と取外し位置との間で移動可能なプラグであって、該挿入位置では、該プラグは、前記第１の軸に対して実質的に垂直に、かつ前記ボタンが前記係止機構を前記係止位置から移動させないように前記ボタンと前記係止機構との間に延在し、該取外し位置では、該プラグは、前記ボタンの移動を妨げないように位置決めされる、プラグと、
を具備する、防犯装置。
【請求項１７】
前記係止機構及び前記ボタンの各々は、前記第１の軸に沿って移動可能である、請求項１６に記載の防犯装置。
【請求項１８】
係合位置と係合解除位置との間で移動可能なラッチであって、該係合位置では、該ラッチの少なくとも一部は、前記プラグが前記取外し位置に向かって位置しないように位置決めされ、該係合解除位置では、該ラッチは、前記プラグが前記取外し位置に向かって移動するのを妨げないように位置決めされ、前記係合位置にある前記ラッチと前記挿入位置にある前記プラグとは、前記ラッチを前記係合位置から前記係合解除位置に向かって移動させるために第１の力及び第２の力を必要とするように構成される、ラッチをさらに具備する、請求項１６に記載の防犯装置。
【請求項１９】
前記スプールを回転させるハンドルと、前記ハウジングから少なくとも前記プラグまで延在する少なくとも１つのケーブルループを形成するように構成されたケーブルであって、該ケーブルの第１の端部は前記スプールに接続され、前記ケーブルの第２の端部は、前記第１の方向への前記スプールの回転により前記ケーブルループが長くなり、前記第２の方向への前記スプールの回転により前記ケーブルループが短くなるように固定される、ケーブルと、をさらに具備する、請求項１６に記載の防犯装置。
【請求項２０】
ＥＡＳタグと、該ＥＡＳタグを収容する第２のハウジングと、をさらに具備する、請求項１６に記載の防犯装置。
【請求項２１】
可聴警報器をさらに具備する、請求項１６に記載の防犯装置。
【発明の詳細な説明】
【技術分野】
【０００１】
本発明は、商品又は他の対象物を保護するために用いられる防犯装置に関し、特に、防犯装置が対象物に固定されるように、対象物の周囲に巻き付けるように用いられる１本又は複数本の調整可能なケーブルを有する防犯装置に関する。
【背景技術】
【０００２】
万引きを防止しかつ見つけるために、電子商品監視（ＥＡＳ）システムが用いられることが多い。通常、ＥＡＳ防犯システムは、ＥＡＳタグ、送信機、受信機及び警報器を有している。ＥＡＳタグは、商品の一部に取り付けられる。送信機及び受信機は、小売店の出口に位置決めされ、消費者が小売店を出るときに通過しなければならない検出ゾーンを確立するように構成される。送信機は、検出ゾーンを通じて信号を送信するように構成される。ＥＡＳタグは、検出ゾーンに入ると、応答し、信号、又は送信機が送信した元の信号の変化若しくは外乱を生成し、それは受信機によって検出可能である。ＥＡＳタグが検出されると、アクティブＥＡＳタグが取り付けられている商品を持って小売店を出ようとしている人がいることを店員に通知するために、警報器がトリガーされる。
【０００３】
ＥＡＳシステムでは、検出されているのは実際のＥＡＳタグであって、商品自体ではない。したがって、ＥＡＳタグを商品から取り外すことによってＥＡＳシステムを回避することができる。ＥＡＳタグの許可されていない取外しを防止するために、防犯装置が開発された。通常の防犯装置は、ＥＡＳタグを収容し、消費者又は窃盗しようとする者がＥＡＳタグに手を加えるか又は他の方法でＥＡＳタグを商品から取り除くことができる可能性を制限するように、ＥＡＳタグを商品に取り付けるように構成されている。
【０００４】
一例として、１つの特定のタイプの防犯装置は、参照により開示内容がすべて本明細書に援用される米国特許第７，４９７，１０１号に開示されているもの等、ケーブル巻付防犯装置である。通常、ケーブル巻付防犯装置は、ラチェット機構用の第１のハウジングと、ＥＡＳタグ用の第２のハウジングと、第１のハウジング及び第２のハウジングの両方に通されると共に商品のパッケージに巻き付くように構成されたケーブルとを有している。ラチェット機構は、ケーブルをパッケージの周囲に締め付け、ケーブルが緩められなければ防犯装置をパッケージから取り外すことができないように構成されている。防犯装置は、小売店の従業員が操作する特別に構成された鍵又は他の専用機器なしにはケーブルが緩められるか又は解放されないようにする、係止機構をさらに有している。用途によっては、ケーブル巻付防犯装置のケーブルはまた、消費者又は窃盗しようとする者が、パッケージ内の商品に届くようにパッケージを開放するか又は他の方法でパッケージに手を加えることも防止する。
【発明の概要】
【０００５】
本発明の実施の形態は防犯装置を提供する。本防犯装置は、商品又は他の対象物に固定されると共に、防犯装置が許可なく取り外されるか又は手を加えられるのを防止するように構成されている。さらに、本発明の実施の形態による防犯装置はまた、小売業者が、特定の防犯装置を使用又は選択する前に、他の防犯装置に優先して選ぶか又は考慮することができる１つ又は複数の追加の特徴又は機能を提供することもできる。
【０００６】
たとえば、一実施の形態によれば、対象物に取り付けられるように構成された防犯装置が提供される。防犯装置は、ハウジング、スプール、係止機構、ボタン、プラグ及びラッチを有する。スプールは、第１の方向及び第２の方向の両方に回転可能であるように、ハウジング内に回転可能に支持される。係止機構は、係止位置と係止解除位置との間で移動可能である。係止位置では、係止機構は、スプールが第１の方向に回転しないようにする一方で、第２の方向に回転するのを妨げないように位置決めされる。係止解除位置では、係止機構は、スプールが第１の方向又は第２の方向に回転するのを妨げないように位置決めされる。ボタンは、防犯装置が対象物に取り付けられていないときにハウジングの外側からアクセス可能であり、係止位置と係止解除位置との間で係止機構を移動させるように構成される。プラグは、挿入位置と取外し位置との間で移動可能である。挿入位置では、プラグの少なくとも一部は、ボタンが係止機構を係止位置から移動させないように位置決めされる。取外し位置では、プラグは、ボタンが係止機構を係止位置から移動させるのを妨げないように位置決めされる。ラッチは、係合位置と係合解除位置との間で移動可能である。係合位置では、ラッチの少なくとも一部は、プラグが取外し位置に向かって移動しないように位置決めされる。係合解除位置では、ラッチは、プラグが取外し位置に向かって移動するのを妨げないように位置決めされる。
【０００７】
係合位置にあるラッチと挿入位置にあるプラグとは、ラッチを係合位置から前記係合解除位置に向かって移動させるために第１の力及び第２の力を必要とするように構成することができる。
【０００８】
防犯装置は、ハウジングから少なくともプラグまで延在する少なくとも１本のケーブルループを形成するように構成されるケーブルをさらに有することができる。ケーブルの第１の端部をスプールに接続することができ、ケーブルの第２の端部を、たとえば防犯装置のハウジング又は他の構成要素の非回転部分に固定することができ、それにより、第１の方向へのスプールの回転によりケーブルループが長くなり、第２の方向へのスプールの回転によりケーブルループが短くなる。
【０００９】
ボタンは、防犯装置が対象物に取り付けられるとアクセス不能であるように位置決めすることができる。
【００１０】
スプール、係止機構及びボタンの各々は、空間的に共通の軸を中心に位置決めすることができる。係止機構は、共通の軸に沿って移動可能である。挿入位置では、プラグは、共通軸に対して実質的に垂直とすることができる。ラッチは、共通の軸に対して平行な軸に沿って移動可能とすることができる。
【００１１】
防犯装置は、ＥＡＳタグ及び可聴警報器の少なくとも一方をさらに有することができる。防犯装置は、第２のハウジングをさらに有することができる。第１のハウジングは可聴警報器を収容することができ、第２のハウジングはＥＡＳタグを収容することができる。
【００１２】
別の実施の形態によれば、防犯装置は、ハウジング、スプール、ハンドル、係止機構、ボタン及びプラグを有する。スプールは、第１の方向及び第２の方向の両方に第１の軸を中心に回転可能であるように、ハウジング内に回転可能に支持される。ハンドルは、スプールを回転させるように構成される。係止機構は、係止位置と係止解除位置との間で第１の軸に沿って移動可能である。係止位置では、係止機構は、スプールが第１の方向に回転しないようにする一方で、第２の方向に回転するのを妨げないように位置決めされる。係止解除位置では、係止機構は、スプールが第１の方向又は第２の方向に回転するのを妨げないように位置決めされる。ボタンは、防犯装置が対象物に取り付けられていないときにハウジングの外側からアクセス可能であり、第１の軸に沿って移動可能であり、係止位置と係止解除位置との間で係止機構を移動させるように構成される。プラグは、挿入位置と取外し位置との間で移動可能である。挿入位置では、プラグの少なくとも一部は、ボタンが係止機構を係止位置から移動させないように位置決めされる。取外し位置では、プラグは、ボタンが係止機構を係止位置から移動させるのを妨げないように位置決めされる。
【００１３】
防犯装置は、ケーブル及びラッチをさらに有することができる。ケーブルは、ハウジングから少なくともプラグまで延在する少なくとも１つのケーブルループを形成するように構成される。ケーブルの第１の端部はスプールに接続され、ケーブルの第２の端部は、第１の方向へのスプールの回転によりケーブルループが長くなり、第２の方向へのスプールの回転によりケーブルループが短くなるように固定される。ラッチは、係合位置と係合解除位置との間で移動可能である。係合位置では、ラッチの少なくとも一部は、プラグが取外し位置に向かって移動しないように位置決めされる。係合解除位置では、ラッチは、プラグが取外し位置に向かって移動するのを妨げないように位置決めされる。
【００１４】
係合位置にあるラッチと挿入位置にあるプラグとは、ラッチを係合位置から係合解除位置に向かって移動させるために第１の力及び第２の力を必要とするように構成することができる。挿入位置では、プラグは、第１の軸に対して実質的に垂直とすることができる。
【００１５】
別の実施の形態では、防犯装置は、ハウジング、スプール、係止機構、ボタン及びプラグを有することができる。スプールは、第１の方向及び第２の方向の両方に第１の軸を中心に回転可能であるように、ハウジング内に回転可能に支持される。係止機構は、係止位置と係止解除位置との間で移動可能である。係止位置では、係止機構は、スプールが第１の方向に回転しないようにする一方で、第２の方向に回転するのを妨げないように位置決めされる。係止解除位置では、係止機構は、スプールが第１の方向又は第２の方向に回転するのを妨げないように位置決めされる。ボタンは、防犯装置が対象物に取り付けられていないときにハウジングの外側からアクセス可能であり、移動可能であり、係止位置と係止解除位置との間で係止機構を移動させるように構成される。プラグは、挿入位置と取外し位置との間で移動可能である。挿入位置では、プラグは、第１の軸に対して実質的に垂直に、かつボタンが係止機構を係止位置から移動させないようにボタンと係止機構との間に延在する。取外し位置では、プラグは、ボタンの移動を妨げないように位置決めされる。
【００１６】
係止機構及びボタンの各々は、第１の軸に沿って移動可能とすることができる。
【００１７】
防犯装置は、係合位置と係合解除位置との間で移動可能なラッチをさらに有することができる。係合位置では、ラッチの少なくとも一部は、プラグが取外し位置に向かって移動しないように位置決めされる。係合解除位置では、ラッチは、プラグが取外し位置に向かって移動するのを妨げないように位置決めされる。係合位置にあるラッチと挿入位置にあるプラグとは、ラッチを係合位置から係合解除位置に向かって移動させるために第１の力及び第２の力を必要とするように構成することができる。
【００１８】
防犯装置はハンドル及びケーブルをさらに有することができる。ハンドルを、スプールを回転させるように構成することができる。ケーブルを、ハウジングから少なくともプラグまで延在する少なくとも１つのケーブルループを形成するように構成することができる。たとえば、ケーブルの第１の端部をスプールに接続することができ、ケーブルの第２の端部を、第１の方向へのスプールの回転によりケーブルループが長くなり、第２の方向へのスプールの回転によりケーブルループが短くなるように、固定することができる。
【００１９】
防犯装置は、ＥＡＳタグと、ＥＡＳタグを収容する第２のハウジングとをさらに有することができる。防犯装置は可聴警報器も有することができる。
【００２０】
ここで、必ずしも比例尺で描かれていない添付図面を参照する。
【図面の簡単な説明】
【００２１】
【図１ａ】本発明の例示的な実施形態による防犯装置の斜視図である。
【図１ｂ】ハンドルが部分的に跳ね上げられた位置にある、図１ａの防犯装置の図である。
【図２ａ】対象物の周囲に部分的に巻き付けられている、図１ａの防犯装置の正面図である。
【図２ｂ】防犯装置が対象物の周囲に完全に巻き付けられている、図２ａの同じ正面図である。
【図２ｃ】図２ｂの背面図である。
【図３ａ】図１ａの防犯装置の第１のハウジングの分解図である。
【図３ｂ】図１ａの防犯装置の第２のハウジングの分解図である。
【図４ａ】図２ｂの線４−４に沿った第１のハウジングの断面図である。
【図４ｂ】防犯装置のラッチが係合解除位置にある、図４ａの断面図である。
【図４ｃ】防犯装置のラッチが係合解除位置にあり防犯装置のプラグが取り除かれている、図４ａの断面図である。
【図５ａ】図１ａの防犯装置の頂部の底面図である。
【図５ｂ】図１ａの防犯装置のスプールの平面図である。
【図５ｃ】図１ａの防犯装置の係止機構の斜視図である。
【図５ｄ】図１ａの防犯装置の第１のハウジングの一部の斜視図である。
【図６ａ】本発明の例示的な実施形態と適合する特別に構成された鍵の斜視図である。
【図６ｂ】図６ａの鍵が適用されている、図１ａの図である。
【図６ｃ】図６ｂの分解図である。
【図７】図４ａの強調表示領域７の拡大図である。
【発明を実施するための形態】
【００２２】
ここで、１つ又は複数の本発明について、本発明のすべてではないがいくつかの実施形態が示されている添付図面を参照して以下により完全に説明する。実際には、これらの発明は多くの異なる形態で具現化することができ、本明細書に示す実施形態に限定されるように解釈されるべきではなく、むしろ、これらの実施形態は、本開示が適用可能な法的要件を満足するように提供される。同様の符号は全体を通して同様の要素を指す。以下に用いる上部（top：頂部）、下部（bottom：底部）、側面、上に、下に、上方に、下方に、垂直な、水平な等の用語は、本発明のすべての実施形態における必要な限定を意味するのではなく、本明細書では、図に示す例示的な実施形態において相対的な方向又は向きを述べるのに役立つように使用されている。
【００２３】
本発明の実施形態は、防犯装置を提供する。この防犯装置は、商品又は他の対象物に固定されて、該防犯装置が許可なく取り外されるか又は手を加えられるのを防止するように構成することができる。防犯装置は、１つ又は複数の警報機能をさらに有することができる。さらに、本発明の実施形態による防犯装置は、小売業者が、特定の防犯装置を使用又は選択する前に、他の防犯装置に優先して選ぶか又は考慮することができる、他の特徴又は機能を提供することもできる。たとえば、防犯装置は、許可されていない取外しを防止するように構成されているが、従業員等、許可されている操作者が防犯装置を取り外すことができる容易さを要素とすることができる。同様に、防犯装置を商品に固定することができる容易さも別の要素とすることができる。さらに別の要素は、ケーブル巻付防犯装置の全体のサイズ又は形状とすることができる。大型のハウジングは、特定のパッケージ若しくは商品の美感を損なう可能性があるか、又は重要な情報を潜在的な消費者に見えなくする可能性がある。また、許可されていない取外しを防止する装置の能力を改善するか又は向上させるケーブル巻付防犯装置のあらゆる追加の又は新しい機能も、小売業者によって有益であるとみなすことができる。
【００２４】
以下に詳細に説明するように、本発明の実施形態は、上記特徴及び機能のうちの１つ又は複数を扱うことができる防犯装置を提供する。たとえば、防犯装置は、スプール、係止機構、ボタン、プラグ及びラッチを有することができる。スプールを、対象物の周囲に巻き付けるようにケーブルを巻き取るか又は引き出すように構成することができる。係止機構を、スプールを部分的に係止するように構成することができる。ボタンを用いて、係止機構を係止位置と係止解除位置との間で移動させることができる。スプールを係止解除するようにボタンを作動することができないように、装置のハウジング内にプラグを挿入することにより、ボタンをブロックすることができる。プラグを、プラグの許可されていない取外しを防止するラッチによってハウジングに固定することができる。係止機能を強化するために、ラッチ及びプラグを、ラッチを移動させプラグを解放するために少なくとも２つの力が必要であるように構成することができる。スプール、係止機構及びボタンを共通の軸に沿って積み重ねることにより、より小型化された設計を提供することができる。
【００２５】
特に、図１ａ〜図２ｃの図示する実施形態によれば、防犯装置１００は、第１のハウジング１１０及び第２のハウジング１２０、ケーブル１３０並びにプラグ１４０を有している。ケーブル１３０は、第１のハウジングから外側に向かって、第２のハウジング１２０を通り、プラグ１４０を通って、たとえばプラグの外端によって画定される開口部４６５を通って、再び第２のハウジング１２０を通り、第１のハウジング１１０に戻るように延在している。ケーブル１３０の経路は、複数のループを形成している。第１のループは、第１のハウジング１１０から第２のハウジング１２０を通ってプラグ１４０まで確定されており、第２のループは、プラグ１４０から第２のハウジング１２０を通って第１のハウジング１１０に戻るように確定されている。
【００２６】
以下により詳細に説明するように、プラグ１４０は、たとえば図４ａ及び図４ｂに示すような、プラグ１４０の少なくとも一部がハウジングの開口部４０２を通って第１のハウジングの内側４０４内に延在する挿入位置と、たとえば図２ａ及び図４ｃに示すような、プラグ１４０全体が第１のハウジングの外側にある取外し位置との間で移動可能である。プラグを取り外すと、ケーブルの第１のループ及び第２のループが分離され、ケーブルを対象物２００の周囲に巻き付けることができる。ケーブルが対象物２００の周囲に巻き付けられると、たとえば図２ａ〜図２ｃに示すように、プラグ１４０を第１のハウジング１１０に挿入することができ、防犯装置は第１のケーブルループ及び第２のケーブルループにより対象物２００に固定される。当業者は、防犯装置を対象物に固定することに加えて、図示するような二重ループ実施形態によって、何者かが対象物に不正に手を加えるのを阻止又は防止することもでき、たとえば、対象物はパッケージとすることができ、二重ケーブルループは、何者かがパッケージを開いて中身に触れることができるのを防止することができることを理解するであろう。
【００２７】
概して、図示する実施形態によれば、第１のハウジング１１０は、ケーブル１３０の緩め及び締付けを行うように構成された回転可能スプールを収容しており、第２のハウジング１２０はＥＡＳタグを収容している。しかしながら、図示する実施形態は、例示的な実施形態であり、排他的な実施形態ではない。他の実施形態では、防犯装置は、２つのケーブルループを有するのではなく、単一のケーブルループのみを有することもできる。たとえば、ケーブルは、ハウジング内のスプールに固定された第１の端部から、ハウジングを出てプラグに固定された第２の端部まで延在することができる。第２のハウジングを有する実施形態では、ケーブルは、第２のハウジングを通って延在することができる。他の実施形態では、防犯装置は単一のハウジングのみを有することもできる。こうした実施形態では、ＥＡＳタグを、スプールと同じハウジングに収容することができる。他の実施形態では、防犯装置はＥＡＳタグを有していなくてもよい。
【００２８】
ここで、再び図示する実施形態を参照し、図１ａ、図２ｃ及び図３ｂに最もよく示すように、第２のハウジング１２０は内部３００を画定することができる。たとえば図示する実施形態によれば、第２のハウジング１２０は、上部分３１０及び下部分３２０を有している。上部分３１０は、上面３１４と、上面３１４の周縁を近位端３１６から遠位端３１８まで延在している側壁３１２とを有することができる。下部分３２０は、側壁３１２の遠位端３１８に接続される底面３２２を有することができる。まとめて、上面３１４、側壁３１２及び底面３２２は、第２のハウジング１２０の内部３００を画定する。
【００２９】
第２のハウジング１２０は、たとえば図１ａ、図２ｃ及び図３ｂに示すように、ケーブルが第２のハウジングを通って延在することを可能にするように構成された複数の穴３３０、３３２、３３４、３３６を画定することができる。第２のハウジング１２０はまた、ＥＡＳタグ３４０を収納又は収容することも可能である。より詳細には、ＥＡＳタグ３４０を、第２のハウジング１２０の内部３００内に収容することができる。第２のハウジング１２０がＥＡＳタグ３４０と共に組み立てられると、ＥＡＳタグが、消費者及び窃盗しようとする者から等、触れることができないように、上部分３１０及び下部分３２０を、たとえば接着剤、溶接又は１つ若しくは複数の締結具により、永久的に接続することができる。
【００３０】
ここで第１のハウジング及び回転可能なスプールの動作を参照すると、防犯装置の実施形態は、第１のハウジング１１０、スプール４１０、係止機構４２０、ボタン４３０、プラグ１４０及びケーブル１３０を有することができる。概して、図示する実施形態によれば、スプール４１０は、ケーブル１３０を引き出すか又は巻き取るように構成されている。係止機構４２０は、スプール４１０がケーブル１３０を巻き取ることを制限され、またケーブル１３０をそれ以上引き出さないように、スプール４１０を選択的に係止するように構成されている。ボタン４３０は、係止機構４２０の係合解除によってスプール４１０を係止解除するように構成されている。またプラグ１４０は、ボタン４３０がスプール４１０を係止解除しないように、ボタン４３０をブロックするように構成されている。
【００３１】
たとえば、図４ａ〜図４ｃに示すように、スプール４１０を、防犯装置の第１の軸を中心に第１の方向及び第２の方向（すなわち時計回り及び反時計回り）の両方に回転可能であるように、第１のハウジングの内部４０４内で支持することができる。ケーブルの第１の端部をスプールに固定することができ、ケーブルの第２の端部を、ハウジングに、又はハウジング内のスプールに回転可能に連結されていない要素に固定することができ、それにより、スプールの第２の方向への回転によりケーブルをスプールの周囲に巻き取ることができ、スプールの第１の方向への回転により、ケーブルをスプールから引き出すことができる。
【００３２】
より詳細には、図示する実施形態によれば、スプール４１０は、円筒状側壁４１１と、側壁４１１の頂部及び底部から外側に延在している２つの円筒状フランジ４１２、４１３とを有している。側壁４１１及びフランジ４１２、４１３は、ケーブルの一部を格納又は保持することができる円筒状チャネルを形成している。防犯装置は、スプールを少なくとも部分的に支持するように構成された支持ポスト４４０をさらに有することができる。たとえば、支持ポスト４４０は、その周囲に延在する溝４４２を画定している円筒状本体４４１とすることができる。スプール４１０は、円筒状本体４４１を受け入れるように中央開口部４１４を画定することができ、支持ポストの溝４４２に係合するように構成された内側リム４１５をさらに有することができる。スプール４１０はまた、円筒状本体４４１の周囲に延在するように構成された円筒状内壁４１６を有することもできる。
【００３３】
動作中、図示する実施形態によれば、スプール４１０は円筒状本体４４１を中心に回転することができ、一方で、溝４４２及び内側リム４１５が、第１の軸に沿いかつ第１の軸に対して垂直な方向における、支持ポスト４４０に対するスプール４１０の移動を阻止する。スプールを、第１のハウジングの１つ又は複数の面により、こうした面が第１のハウジング内のスプールの回転を防止しない限り、第１のハウジング内でさらに支持することができる。以下により詳細に説明するように、スプール４１０は、たとえば図５ｂに最もよく示すように、係止機構の延長部を受け入れるように構成された１つ若しくは複数の開口部又は溝４１７をさらに画定することができる。係止機構の延長部が１つ又は複数の開口部４１７を通して少なくとも部分的に延在することにより、スプール４１０及び係止機構は回転可能に連結され、すなわち、一方の回転により他方が回転する。
【００３４】
係止機構４２０を、（たとえば図４ａ及び図４ｂに示すような）係止位置と（たとえば図４ｃに示すような）係止解除位置との間で移動可能とすることができる。係止位置では、係止機構４２０は、スプール４１０の第１の方向への回転を防止する一方で、スプール４１０の第２の方向への回転を妨げないように位置決め又は構成される。さらなる例として、係止機構４２０を、係止位置において、ケーブルがさらに第１のハウジングから延出しないように、すなわちスプールから引き出されないようにすると共に、ケーブルが後退する、すなわちスプールの周囲にさらに巻き取られるのを妨げないように位置決め又は構成することができる。係止解除位置では、係止機構を、いずれの方向においても、すなわちケーブルがスプールの周囲で巻き取られているか又は引き出されているかにかかわらず、スプールの回転を妨げないように、位置決め又は構成することができる。
【００３５】
図示する実施形態の係止機構４２０は、全体的にスプール４１０の下方にある。さらに、図示する実施形態では、スプール４１０及び係止機構４２０は共に、第１の軸を中心に配置されている。図５ｃに最もよく示すように、係止機構４２０は、全体的にリングとして成形され、支持ポスト４４０が中に延在するのを可能にすると共に、防犯装置の第１の軸に沿った係止機構４２０と支持ポスト４４０との相対的な移動を可能にするように構成された、中央開口部４２３を画定することができる。上述したように、係止機構４２０は、１つ又は複数の延長部４２１を有することができる。一例として、図示する実施形態の係止機構４２０は、上方に延在する３つの延長部４２１を有している。係止機構４２０は、たとえば図４ａ〜図４ｃに示すように、延長部４２１がスプールの開口部４１７に位置合わせされるように位置決めされており、それにより、延長部４２１が、開口部４１７内に延在すると共に、係止機構４２０及びスプール４１０を回転可能に連結する。延長部４２１の長さを、係止機構４２０が係止位置にあるときと係止解除位置にあるときとの両方において、延長部４２１が開口部４１７内に延在することを確実にするのに十分長くすることができる。
【００３６】
係止機構４２０は、たとえば図５ｃに示すように、係止機構の底面に沿って延在する、下方に向いている係止歯４２４をさらに有することができる。係止位置にある間、係止機構の係止歯４２４を、係止歯の第２のセットと係合するように位置決めすることができる。たとえば、図５ｄに示すように、第１のハウジング１１０は、第１のハウジングの下部分に沿って成形された係止歯４０６のセットを有することができるか、又は第１のハウジングは係止歯のセットを含むインサートを有することができ、インサートを、第１のハウジングの下部分に位置決めすることができる。係止歯の第１のセット４０６及び係止歯の第２のセット４２４が係合すると、それらの形状により、歯のセット４０６、４２４の間の一方の方向への相対的な回転移動が防止される一方で、歯のセット４０６、４２４の間の他方の方向への相対的な回転移動が可能となる。この機能により、これらの係止歯を、一方向係止歯と呼ぶ場合がある。係止解除位置では、係止機構の歯４２４は、係止歯の第１のセット４０６及び係止歯の第２のセット４２４が他方の移動を妨げないように、係止歯の第１のセット４０６から離れて位置決めされている。
【００３７】
防犯装置１００を、係止機構４２０を係止位置に向かって付勢するように構成することができる。たとえば、図３ａ及び図４ａ〜図４ｃに示すように、図示する実施形態によれば、防犯装置１００は、コイルばね等の１つ又は複数の付勢要素４５０を有している。付勢要素４５０を、係止機構４２０とスプール４１０との間において係止機構の延長部４２１の周囲に位置決めすることができる。係止機構４２０が係止解除位置になるまで移動すると、係止機構４２０とスプール４１０との間の距離が低減し、付勢要素４５０が圧縮される。付勢要素４５０の圧縮のために、付勢要素４５０は、係止機構４２０に力を加え、係止機構４２０を係止位置に向かわせる。しかしながら、後に説明するように、使用者は、係止機構４２０が係止解除位置にあり続けるようにボタン４３０を押すことにより、この力に打ち勝つことができる。
【００３８】
ボタン４３０は、図示する実施形態によれば、係止機構４２０を係止位置と係止解除位置との間で移動させるように構成されている。ボタン４３０を、使用者がボタン４３０を作動させる、たとえば押すことができるように、第１のハウジング１１０の外側から少なくとも部分的にアクセス可能であるように位置決め又は構成することができる。たとえば、図４ａ〜図４ｃに示すように、図示する実施形態によれば、第１のハウジング１１０は、底部開口部３０８を画定して、防犯装置が対象物から取り外されるとボタン４３０に対するアクセスを可能にすることができる。より具体的な例として、第１のハウジング１１０は、底部開口部３０８を画定する底面４０７を有することができる。ボタンの底面４３１を、底面４０７の近くに位置決めすることができる。図示する実施形態では、係止位置において、ボタンの底面４３１は、第１のハウジングの底面４０７と同一平面にある。他の実施形態では、ボタンの底面は、ボタンが依然として使用者に対してアクセス可能であるように、下面の下方か又は上方にあることもできる。
【００３９】
ボタン３０は、係止機構４２０の下方か又は係止機構４２０に隣接して位置決めされている上部分４３２をさらに有している。たとえば、上部分４３２は、係止機構４２０の下方に向いている面の真下であるか又はそれに隣接していることができる。使用者がボタン４３０を作動させる、たとえば押すと、ボタン４３０は第１のハウジング１１０内に、たとえば防犯装置の第１の軸に沿って、図４ｃの矢印によって示すようにさらに移動し、それにより、ボタンの上部分４３２が係止機構４２０と係合し、係止機構４２０を上方に係止解除位置まで、たとえば防犯装置の第１の軸に沿って移動させる。係止機構４２０が係止解除位置まで移動することにより、係止歯の２つのセット４０６、４２４が係合解除する。
【００４０】
上述したように、プラグ１４０を、少なくとも部分的に第１のハウジング内に、たとえば第１のハウジングによって画定される開口部４０２を通して挿入可能とすることができる。さらに、挿入位置において、プラグ１４０を、係止機構４２０が係止位置から移動しないように、ボタン４３０の移動を防止するように位置決め又は構成することができる。言い換えれば、プラグ１４０が挿入位置にある限り、係止機構４２０は、ボタン４３０を介して係止位置から移動することが防止され、したがって、ケーブル又はケーブルループを長くすることができない。
【００４１】
プラグ１４０は、内端４６１から外端４６２まで延在することができる。内端４６１と外端４６２との間の距離がプラグの長さを画定する。プラグの長さを、プラグが第１のハウジングの内部に十分延在することができるように構成することができ、それにより、プラグの少なくとも一部がボタンの少なくとも一部の上方に延在するように、内端が少なくともボタンまで及ぶか又はボタンを越える。たとえば、図示する実施形態では、ボタンは、空間的に防犯装置の第１の軸を中心に配置されており、プラグを、第１の軸を少なくとも部分的に横切って実質的に垂直に延在するように構成することができる。ボタン４３０はまた、プラグが挿入位置まで内方に移動する際、プラグの内端４６１を受け入れるように構成することができるチャネル４３３を画定することもできる。プラグ１４０の少なくとも一部がボタン４３０の少なくとも一部の上方にある状態では、ボタン４３０は、それ以上第１のハウジング１１０内に上方に移動することが防止される。
【００４２】
プラグの外端４６２を、概して、第１のハウジングの外壁に対応するような形状とすることができる。たとえば、図示する実施形態では、第１のハウジング１１０は、実質的に円筒状の外壁を有している。外端４６２は、第１のハウジングの外壁に対応する円筒状外面４０９を画定することができる。プラグ１４０の長さは、プラグの外端の外面４０９の挿入された部分が、たとえば図１ａに示すように、第１のハウジングの外壁と同一平面であるか又は実質的に同一平面であるように構成することができる。こうした配置は、プラグをカモフラージュするか又は他の方法で溶け込ませるのに役立つことができ、それにより、プラグが、消費者又は窃盗しようとする者に対して目立たなくなる。
【００４３】
防犯装置は、たとえば図４ａ〜図４ｃに示すように、係合位置と係合解除位置との間で移動可能なラッチ４７０をさらに有することができる。係合位置では、たとえば図４ａに示すように、ラッチ４７０は、プラグ１４０が挿入位置から移動しないように、すなわち第１のハウジングから取り外されないように位置決めされている。係合解除位置では、たとえば図４ｂ及び図４ｃに示すように、ラッチ４７０は、プラグ１４０が挿入位置から取外し位置まで移動するのを妨げないように位置決めされている。防犯装置を、ラッチ４７０が係合位置に向かって付勢されるようにさらに構成することができる。さらに、プラグ１４０が挿入位置にある状態では、防犯装置を、ラッチ４７０が特別に構成された鍵なしに係合位置から移動しないようにさらに構成することができる。
【００４４】
スプール４１０、係止機構４２０、ボタン４２０、プラグ１４０及びここではラッチ４７０の間の相互作用により、当業者は、プラグ１４０がラッチ４７０の位置決めにより挿入位置から移動しないようにすることにより、スプール４１０が一方向にしか回転可能でないことを理解するであろう。この一方向を、ケーブルの巻取方向、すなわちケーブルループを締め付ける方向であるように構成することができる。したがって、プラグ１４０が挿入されラッチ４７０が係合位置にある状態では、防犯装置は、ケーブルループが対象物の周囲でさらに締め付けられることを可能にする一方で、ケーブルループが緩むことを防止すると共に、消費者又は窃盗しようとする者が防犯装置を対象物から取り外すことができる可能性を低減するように構成されている。
【００４５】
より具体的な例として、図示する実施形態によれば、第１のハウジングは、ラッチ４７０及びコイルばね等の付勢装置４８０を受け入れるように構成された垂直チャネル４０１を画定する。ラッチは、上端４７１から下端４７２まで延在する、磁性材料、たとえば鉄、ニッケル又はニッケルめっき鋼から作製された細長い本体とすることができる。ラッチ４７０を、チャネル４０１内で少なくとも部分的に上下に移動することができるように形状決め及び位置決めすることができる。付勢装置４８０を、チャネル４０１内においてラッチの上端４７１と第１のハウジングの水平面４０５との間に位置決めすることができる。ラッチ４７０は、係合解除位置に向かって移動する際、たとえば図示する実施形態によれば、チャネル内を上方に移動し、付勢装置４８０が圧縮されてこの付勢装置４８０によってラッチの上端４７１上に力が加わり、ラッチ４７０を係合位置に向かって下方へ促す。プラグ１４０が挿入位置にあると、消費者又は窃盗しようとする者が、ラッチ４７０を係合位置から移動させようとラッチ４７０を押すか、引くか、又は他の方法でラッチ４７０に手を加えるように指又は道具を挿入することができないよう、ラッチ４７０、付勢装置４８０及びチャネル４０１を第１のハウジングの外側からはアクセス不可能とすることができる。
【００４６】
ラッチ４７０を、その磁気特性のために、磁力によって移動させることができる。しかしながら、ラッチ４７０を、第１のハウジング１１０内に位置決めし、かつ他の方法で、磁力がラッチに対して所定の強度又は特定の向きを有する場合に、その磁力によってのみ移動可能であるように構成することができる。たとえば、図示する実施形態では、ラッチ４７０は、選択的にハウジングに隣接して配置されている特別に構成された鍵により、係合解除位置まで移動可能である。
【００４７】
一例として、図６ａ〜図６ｃに示すように、鍵６００は、磁石６０６と、第１のハウジングの側面において画定された１つ又は複数の配置窪み４０３と係合するように構成された１つ又は複数の配置ノブ６０２とを有することができる。配置ノブ６０２及び配置窪み４０３が位置合わせされると、鍵の磁石は、ラッチを係合解除位置に向かって上方に移動させるように十分な磁力を形成するよう、ラッチに対して位置決めされる。特別に構成された鍵を使用するのは、消費者又は窃盗しようとする者が、より従来からの又は一般的な磁石を用いてラッチを移動させることができる可能性を最小限に抑えるためである。
【００４８】
防犯装置を、耐衝撃性の特徴を有するようにさらに構成することができる。対象物及び防犯装置が特定の方法で落下した場合、衝撃力により、通常、ラッチ４７０は、少なくとも一時的に係合位置から係合解除位置まで移動する可能性があり、それにより、プラグ１４０が許可なく取り外されることになる可能性がある。防犯装置は、ラッチ４７０が係合位置から係合解除位置まで移動するのに２つの力が必要であるように構成することができる。第１の力は、上述したように特別に構成された鍵の使用とすることができる。第２の力は、使用者が加えることができる。第２の力が必要であることにより、防犯装置の耐衝撃性を向上させることができる。したがって、衝撃が第１の力として作用するか又は他の方法で第１の力をの必要性をなくす場合であっても、第２の力が必要であることにより、プラグが第１のハウジング内に挿入された状態で維持される可能性が高い。
【００４９】
たとえば、図４ａ〜図４ｃ及び図７に示すように、プラグ１４０が挿入位置にあると共にラッチ４７０が係合位置にあるとき、プラグの外端４６２は、ラッチの少なくとも下端４７２を受け入れるように構成された開口部又はチャネル４６４を画定することができる。外端４６２はまた、内方に面している傾斜面４６６も画定することができる。内端４６１と内方に面している傾斜面４６６との間において、プラグを、ラッチの下端４７２と第１のハウジングの開口部４０２の底部との間の距離より、垂直方向に小さくすることができる。ラッチ４７０が係合位置にあると共に、プラグ１４０が第１のハウジングの開口部４０２内に挿入されると、プラグ１４０は、ラッチの下端４７２と開口部４０２の底部との間に嵌ることができる。内方に面している傾斜面４６６がラッチ４７０に達すると、プラグ１４０は、内方に面している傾斜面４６６及びラッチ４７０が接触する地点まで達する。プラグ１４０がさらに挿入されると、ラッチ４７０と内方に面している傾斜面４６６との間の相互作用により、ラッチ４７０が係合解除位置に向かって上方に押される。プラグのチャネル４６４がラッチの下端４７２に達すると、ラッチの下端４７２は、重力及び／又は付勢装置４８０によりチャネル４６４内に落下する。
【００５０】
プラグ１４０は、チャネル４６６内に延在するリップ４６７等の延長部をさらに有することができ、ラッチ４７０は、リップ４６７を受け入れるか又はリップ４６７と係合するように構成された開口部４７３を有することができる。たとえば、図示するように、プラグ１４０は、プラスチック成形片４６８と、プラスチック成形片内に成形されるか又はプラスチック成形片に他の方法で取り付けられることができるインサート４６９とを有することができる。インサートは、リップを形成するように構成することができる。図示する実施形態によれば、ラッチの下端４７２がプラグ挿入中にチャネル４６４内に落下すると、ラッチの下端４７２の少なくとも一部がリップ４６７の下方まで落ちる。リップ４６７が少なくとも部分的にラッチの開口部４７３内に延在するように、プラグ１４０をわずかに後退（すなわち外側に移動）させることができる。リップ４６７がラッチ４７０の一部にわたって延在した状態では、ラッチ４７０は、特別に構成された鍵又は衝撃に応じても上方に移動することが防止される。
【００５１】
リップ４６７がラッチの開口部４７３内に少なくとも部分的に延在するようにプラグ１４０をわずかに後退させることは、防犯装置の通常の装着操作中に行うことができる。たとえば、プラグ１４０を、使用者、たとえば小売店の従業員により、ハウジング内に挿入することができる。使用者は、たとえば内端４６１が第１のハウジングの内側部分に当接するまで、プラグを可能な限り挿入することができる。この位置において、ラッチは、プラグのチャネルと位置合わせされ、それにより、チャネル内に少なくとも部分的に移動する。しかしながら、リップ４６７はまだ、少なくとも部分的に開口部４７３内に延在していない可能性がある。次に、使用者は、ケーブルを対象物の周囲に締め付けることができる。上述したように、ケーブルはプラグを通って延在することができる。したがって、ケーブルは、対象物の周囲で締め付けられるときに、プラグを引っ張る。ケーブルを締め付けることによってプラグに加えられる引張力により、プラグはわずかに後退し、それにより、リップ４６７は少なくとも部分的に開口部４７３内に移動する。
【００５２】
別の例として、プラグを後退させるためにケーブルに頼る代りに又はそれに加えて、付勢装置を用いることができる。付勢装置を、プラグが第１のハウジング内に挿入されると、プラグをわずかに後退させるように付勢し、ラッチの下端の一部がプラグのチャネル内にあるように構成することができる。
【００５３】
図示する実施形態のプラグ１４０を解放するために、使用者は、鍵６００を第１のハウジング１１０の上面に接するように配置し、リップ４６７がそれ以上ラッチの開口部４７３内にないように又は他の方法で開口部４７３と係合しないように、プラグ１４０をわずかに内方に押す。リップ４６７が取り外されると、ラッチ４７０は、鍵によって提供される磁力によって係合解除位置に向かって移動可能である。したがって、図示する実施形態では、鍵が第１の力を提供する一方で、使用者が押すことにより第２の力が提供される。
【００５４】
防犯装置は、使用者がスプール４１０を回転させるのを可能にするように構成されたハンドル１５０をさらに有することができる。たとえば、図示する実施形態によれば、防犯装置は、頂部１６０及びハンドル１５０を有している。第１のハウジングは、頂部１６０が第１のハウジングに接続されるように頂部１６０の周囲にかつ少なくとも部分的に頂部１６０の上方に延在する頂部リム１１２を有することができる。より詳細には、図示する実施形態では、頂部１６０は、第１のハウジング１１０に対して防犯装置の第１の軸に沿って又は第１の軸に対して横方向に移動することが防止されるが、第１のハウジング１１０に対して回転可能である。頂部リム１１２は、一旦組み立てられると、消費者又は窃盗しようとする者が防犯装置を分解することが困難であるように、第１のハウジングの残りの部分に永久的に接続することができる。
【００５５】
頂部１６０を、スプール４１０を覆うように位置決め又は構成することができる。さらに、頂部１６０を、スプールに回転可能に接続することができる。たとえば、スプールは、たとえば図５ａに最もよく示すような頂部の位置決めブロック４９６等の部分を受け入れる、たとえば図５ｂに示すような１つ又は複数の開口部４９５を有することができる。ハンドル１５０を、たとえば図１ａに示すような格納位置まで、又はたとえば図１ｂに示すような跳ね上げ位置まで移動することができるように、頂部１６０に枢動可能に接続することができる。より具体的な例として、図３ａに示すように、ハンドル１５０を、ハンドル１５０及び頂部１６０に画定された穴を通って延在する１つ又は複数のピン４９４によって、頂部１６０に接続することができる。使用者は、スプール４１０を回転させるには、ハンドル１５０を跳ね上げ位置まで枢動させ、その後、ハンドル１５０をひねることができる。上述したように、係止機構４２０が係止位置にあるとき、巻取方向等の一方向にしかスプール４１０を回転させることができないように、使用者を制限することができる。係止機構４２０が係止解除位置にあるとき、使用者は、スプールをいずれの方向にも回転させることができる。
【００５６】
防犯装置は、巻取機機構をさらに有することができる。特に、参照により援用され本出願が優先権を主張する、米国特許出願第１２／０２７，２９７号にさらに記載されているように、防犯装置は、スプールを第１の位置に付勢する巻取機機構を有することができる。第１の位置は、ケーブルがスプールの周囲に完全に巻き取られている、すなわちケーブルループが最短長を有する位置に対応することができる。巻取機機構は、第１の端部から第２の端部まで延在するねじりばねを有することができる。ねじりばねを、第１の端部をスプールに取り付け第２の端部を第１のハウジング等の非回転要素に取り付けた状態で、スプールの中央開口部内に位置決めすることができる。スプールの第１の位置において、ねじりばねは、静止しているか又は静止状態にあることができる。スプールがケーブルを引き出すように回転すると、ばねはねじれる。スプールが回転するほどばねはねじれる。ねじりばねは、その静止状態まで戻るように構成されている。ねじりばねとスプールとの間の接続のために、ねじりばねは、スプールを第１の位置に戻すようにも構成されている。したがって、反対の力がなければ、ねじりばねは、スプールを第１の位置に戻すように移動させ、それによりケーブルを巻き戻すように構成されている。
【００５７】
上述したように、防犯装置はＥＡＳタグ３４０を有することができ、ＥＡＳタグ３４０は、所定の検出ゾーンに存在すると、たとえば、小売店のドア又は他の入口地点に若しくはその近くに据え付けられると、検出可能であるように構成されている。ＥＡＳタグを、ＥＡＳ防犯システム内で作用するように構成することができる。たとえば、ＥＡＳタグを、電磁（ＥＭ）システム内又は音響磁気（ＡＭ）システム内等の磁気タグか、又は無線周波数（ＲＦ）システム内等の電子回路及びアンテナとすることができる。別の例として、ＥＡＳタグを、マイクロ波システム内で作用するように構成することができる。
【００５８】
ＥＡＳタグに加えて又はその代りに、防犯装置は他の無線装置を有することができる。たとえば、防犯装置は、アクティブ（active：能動型）又はパッシブ（passive：受動型）ＲＦＩＤタグを有することができる。ＲＦＩＤタグを用いて、防犯の目的又は在庫管理の目的で対象物に関する情報を格納しかつ／又は通信することができる。
【００５９】
防犯装置を、他の防犯機能又は警報機能を有するように構成することも可能である。たとえば、防犯装置は、１つ又は複数の状況に応じてトリガーすることができる、圧電サイレン等の可聴警報器を有することができる。図示する実施形態では、警報器は、印刷回路基板４９７、発光ダイオード（ＬＥＤ）４９８及びバッテリ４９９を有することができる。バッテリ４９９を、スプール４１０によって画定される上部空洞内に格納し位置決めすることができる。印刷回路基板４９７を、バッテリの上方に位置決めすることができる。ＬＥＤは、印刷回路基板４９７及びバッテリ４９９と電気的に連通することができ、その少なくとも一部が第１のハウジング１１０の外側から見えるように、防犯装置の頂部１６０によって画定される開口部を少なくとも部分的に通って延在することができる。ＬＥＤを、たとえば、防犯装置に電源が投入され、係止機構が係止位置にあり、プラグが挿入位置にあり、ラッチが第１の位置にあり、警報器が作動可能とされ、又は警報器がトリガーされたといった、特定の条件又は状況の存在のインジケーターとして（たとえば、一定の光又は点滅するオン／オフ光を提供することにより）使用することができる。
【００６０】
参照により援用される米国特許第７，４９７，１０１号において詳細に説明されているように、防犯装置の警報器を、ケーブルの一部が切断されるか又は損傷を受ける等、損なわれた場合に作動するように構成することができる。たとえば、ケーブルは導電性であって、防犯装置のトリガーと接触する検知ループを形成することができる。ケーブルが損なわれると、トリガーは、ケーブルの変化を検出して、警報器を作動させることにより応答するように構成される。
【００６１】
別の例として、トリガーを、防犯システムのゲートに対するＥＡＳタグの位置に応じて警報器を励起し、したがって作動させるように構成することができる。一実施形態では、トリガーを、ＥＡＳタグがゲートの近くにあるか、ゲートにあるか、又はゲートを越えると、警報器を作動させるように構成することができ、それは、従業員が、防犯装置が取り付けられた商品を検出するのを助けるはずである。したがって、いくつかの実施形態では、防犯装置は３つの警報機能、たとえばＥＡＳタグが検出されると警報を発するゲート自体と、そのケーブルが損なわれるか又は他の方法でケーブルに対して手が加えられるとトリガーする、防犯装置自体の可聴警報器と、ＥＡＳタグが防犯ゲートにあるか、その近くにあるか、又はそれを越えるとトリガーする防犯装置の可聴警報器とを有することができる。
【００６２】
上述したように、本明細書に開示する実施形態は、防犯装置を提供する。防犯装置は、比較的小型の設計を有することができる。たとえば、図示する実施形態では、防犯装置の第１の軸を中心に回転可能なスプールと、防犯装置の第１の軸に沿って移動可能な係止機構及びボタン。さらに、スプール、係止機構及びボタンの各々を、空間的に防犯装置の第１の軸を中心として配置することができ、プラグは、防犯装置の第１の軸に沿ったスプール、係止機構及びボタンの相対的な移動を防止するように、防犯装置の第１の軸に対して垂直にかつ第１の軸を通って実質的に延在することができる。こうした配置、すなわち、スプール、係止機構及びボタンの間で共通の軸（第１の軸等）と、共通軸に対して垂直にかつボタンと係止機構との間で移動するように構成された、係止機構をブロックするプラグとにより、いくつかの従来の防犯装置に比較して比較的小型の設計が可能となる。
【００６３】
図示する実施形態では、ボタンは、ハウジングの底面に位置決めされている。ボタンをハウジングの底面に配置することは、従来にはないものと考えることができ、それは、こうした位置では、ボタンが商品の近くに又は直接接触して配置されるため、商品がボタンを不注意に作動させる可能性があると考えられるためである。しかしながら、上述したように、プラグがボタンの作動をブロックするように構成されており、それにより商品による不注意の作動が最小限に抑えられる。さらに、こうした位置では、ボタンは、防犯装置が対象物に固定されると、消費者及び窃盗しようとする者に対してアクセス不能である（したがって、不正操作に対してより耐性がある（tamper resistant））。ボタンの位置により不注意のかつ許可されていない作動が防止されるが、ボタンの存在により、依然として、小売店の従業員が防犯装置を使用する比較的容易な手段が提供される。
【００６４】
上述したように、防犯装置は、窃盗しようとする者が防犯装置の係止機能を迂回するのをより困難にする、耐衝撃性機能も有することができる。また、図示する実施形態では、防犯装置は、比較的より大きい係止面を提供する係止機構の周縁に沿って延在する係止歯の２つのセット、したがって、いくつかの従来の防犯装置に比較して改善された係止構造を有している。当業者は、本発明の実施形態による防犯装置が従来の防犯装置のうちのいくつかに勝って提供する他の改良形態及び強化形態を理解するであろう。
【００６５】
本明細書に示した本発明の多くの変形及び他の実施形態は、上述した説明及び関連する図面に提示した教示から利益を得る、これらの発明が関連する当業者には思いつくであろう。したがって、本発明は、開示する特定の実施形態に限定されないこと、並びに変更形態及び他の実施形態が、添付の特許請求の範囲内に含まれるように意図されていることが理解されるべきである。本明細書では特定の用語を採用しているが、それらは、一般的かつ説明的な意味でのみ用いられ、限定の目的では用いられていない。
【図１Ａ】
2012524333.tif 000003
【図１Ｂ】
2012524333.tif 000004
【図２Ａ】
2012524333.tif 000005
【図２Ｂ】
2012524333.tif 000006
【図２Ｃ】
2012524333.tif 000007
【図３Ａ】
2012524333.tif 000008
【図３Ｂ】
2012524333.tif 000009
【図４Ａ】
2012524333.tif 000010
【図４Ｂ】
2012524333.tif 000011
【図４Ｃ】
2012524333.tif 000012
【図５Ａ】
2012524333.tif 000013
【図５Ｂ】
2012524333.tif 000014
【図５Ｃ】
2012524333.tif 000015
【図５Ｄ】
2012524333.tif 000016
【図６Ａ】
2012524333.tif 000017
【図６Ｂ】
2012524333.tif 000018
【図６Ｃ】
2012524333.tif 000019
【図７】
2012524333.tif 000020
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
対象物に取り付けられるように構成された防犯装置であって、
ハウジングと、
第１の方向及び第２の方向の両方に回転可能であるように、前記ハウジング内に回転可能に支持されるスプールと、
係止位置と係止解除位置との間で移動可能な係止機構であって、該係止位置では、該係止機構は、前記スプールが前記第１の方向に回転しないようにする一方で、前記第２の方向に回転するのを妨げないように位置決めされ、該係止解除位置では、該係止機構は、前記スプールが前記第１の方向又は前記第２の方向に回転するのを妨げないように位置決めされる、係止機構と、
該防犯装置が前記対象物に取り付けられていないときに前記ハウジングの外側からアクセス可能であり、前記係止位置と前記係止解除位置との間で前記係止機構を移動させるように構成されるボタンと、
挿入位置と取外し位置との間で移動可能なプラグであって、該挿入位置では、該プラグの少なくとも一部は、前記ボタンが前記係止機構を前記係止位置から移動させないように位置決めされ、該取外し位置では、該プラグは、前記ボタンが前記係止機構を前記係止位置から移動させるのを妨げないように位置決めされる、プラグと、
係合位置と係合解除位置との間で移動可能なラッチであって、該係合位置では、該ラッチの少なくとも一部は、前記プラグが前記取外し位置に向かって移動しないように位置決めされ、該係合解除位置では、該ラッチは、前記プラグが前記取外し位置に向かって移動するのを妨げないように位置決めされる、ラッチと、
を具備する、防犯装置。
【請求項２】
前記係合位置にある前記ラッチと前記挿入位置にある前記プラグとは、前記ラッチを前記係合位置から前記係脱位置に向かって移動させるために第１の力及び第２の力を必要とするように構成される、請求項１又は１３に記載の防犯装置。
【請求項３】
前記ハウジングから少なくとも前記プラグまで延在する少なくとも１つのケーブルループを形成するように構成されたケーブルであって、該ケーブルの第１の端部は前記スプールに接続され、前記ケーブルの第２の端部は、前記第１の方向への前記スプールの回転により前記ケーブルループが長くなり、前記第２の方向への前記スプールの回転により前記ケーブルループが短くなるように固定される、ケーブルをさらに具備する、請求項１又は２に記載の防犯装置。
【請求項４】
前記ボタンは、前記防犯装置が前記対象物に取り付けられるとアクセス不能であるように位置決めされる、請求項１〜３のいずれか一項に記載の防犯装置。
【請求項５】
前記スプール、前記係止機構及び前記ボタンの各々は、空間的に共通の軸を中心に位置決めされる、請求項１〜４のいずれか一項に記載の防犯装置。
【請求項６】
前記係止機構は、前記共通の軸に沿って移動可能である、請求項５に記載の防犯装置。
【請求項７】
前記挿入位置では、前記プラグは、前記共通軸に対して実質的に垂直である、請求項６に記載の防犯装置。
【請求項８】
前記ラッチは、前記共通の軸に対して平行な軸に沿って移動可能である、請求項７に記載の防犯装置。
【請求項９】
ＥＡＳタグをさらに具備する、請求項１〜８又は１６〜１９のいずれか一項に記載の防犯装置。
【請求項１０】
可聴警報器をさらに具備する、請求項１〜９又は１６〜１９のいずれか一項に記載の防犯装置。
【請求項１１】
第２のハウジングをさらに具備し、前記第１のハウジングは前記可聴警報器を収容し、該第２のハウジングは前記ＥＡＳタグを収容する、請求項１０に記載の装置。
【請求項１２】
対象物に取り付けられるように構成された防犯装置であって、
ハウジングと、
第１の方向及び第２の方向の両方に第１の軸を中心に回転可能であるように、前記ハウジング内に回転可能に支持されるスプールと、
前記スプールを回転させるハンドルと、
係止位置と係止解除位置との間で前記第１の軸に沿って移動可能な係止機構であって、該係止位置では、該係止機構は、前記スプールが前記第１の方向に回転しないようにする一方で、前記第２の方向に回転するのを妨げないように位置決めされ、該係止解除位置では、該係止機構は、前記スプールが前記第１の方向又は前記第２の方向に回転するのを妨げないように位置決めされる、係止機構と、
該防犯装置が前記対象物に取り付けられていないときに前記ハウジングの外側からアクセス可能であり、前記第１の軸に沿って移動可能であり、前記係止位置と前記係止解除位置との間で前記係止機構を移動させるように構成されるボタンと、
挿入位置と取外し位置との間で移動可能なプラグであって、該挿入位置では、該プラグの少なくとも一部は、前記ボタンが前記係止機構を前記係止位置から移動させないように位置決めされ、該取外し位置では、該プラグは、前記ボタンが前記係止機構を前記係止位置から移動させるのを妨げないように位置決めされる、プラグと、
を具備する、防犯装置。
【請求項１３】
前記ハウジングから少なくとも前記プラグまで延在する少なくとも１つのケーブルループを形成するように構成されたケーブルであって、該ケーブルの第１の端部は前記スプールに接続され、前記ケーブルの第２の端部は、前記第１の方向への前記スプールの回転により前記ケーブルループが長くなり、前記第２の方向への前記スプールの回転により前記ケーブルループが短くなるように固定される、ケーブルと、
係合位置と係合解除位置との間で移動可能なラッチであって、該係合位置では、該ラッチの少なくとも一部は、前記プラグが前記取外し位置に向かって移動しないように位置決めされ、前記係合解除位置では、該ラッチは、前記プラグが前記取外し位置に向かって移動するのを妨げないように位置決めされる、ラッチと、
をさらに具備する、請求項１２に記載の防犯装置。
【請求項１４】
前記挿入位置では、前記プラグは、前記第１の軸に対して実質的に垂直である、請求項２又は１３に記載の防犯装置。
【請求項１５】
対象物に取り付けられるように構成された防犯装置であって、
ハウジングと、
第１の方向及び第２の方向の両方に第１の軸を中心に回転可能であるように、前記ハウジング内に回転可能に支持されるスプールと、
係止位置と係止解除位置との間で移動可能な係止機構であって、該係止位置では、該係止機構は、前記スプールが前記第１の方向に回転しないようにする一方で、前記第２の方向に回転するのを妨げないように位置決めされ、該係止解除位置では、該係止機構は、前記スプールが前記第１の方向又は前記第２の方向に回転するのを妨げないように位置決めされる、係止機構と、
該防犯装置が前記対象物に取り付けられていないときに前記ハウジングの外側からアクセス可能であり、移動可能であり、前記係止位置と前記係止解除位置との間で前記係止機構を移動させるように構成されるボタンと、
挿入位置と取外し位置との間で移動可能なプラグであって、該挿入位置では、該プラグは、前記第１の軸に対して実質的に垂直に、かつ前記ボタンが前記係止機構を前記係止位置から移動させないように前記ボタンと前記係止機構との間に延在し、該取外し位置では、該プラグは、前記ボタンの移動を妨げないように位置決めされる、プラグと、
を具備する、防犯装置。
【請求項１６】
前記係止機構及び前記ボタンの各々は、前記第１の軸に沿って移動可能である、請求項１５に記載の防犯装置。
【請求項１７】
係合位置と係合解除位置との間で移動可能なラッチであって、該係合位置では、該ラッチの少なくとも一部は、前記プラグが前記取外し位置に向かって位置しないように位置決めされ、該係合解除位置では、該ラッチは、前記プラグが前記取外し位置に向かって移動するのを妨げないように位置決めされ、前記係合位置にある前記ラッチと前記挿入位置にある前記プラグとは、前記ラッチを前記係合位置から前記係合解除位置に向かって移動させるために第１の力及び第２の力を必要とするように構成される、ラッチをさらに具備する、請求項１５に記載の防犯装置。
【請求項１８】
前記スプールを回転させるハンドルと、前記ハウジングから少なくとも前記プラグまで延在する少なくとも１つのケーブルループを形成するように構成されたケーブルであって、該ケーブルの第１の端部は前記スプールに接続され、前記ケーブルの第２の端部は、前記第１の方向への前記スプールの回転により前記ケーブルループが長くなり、前記第２の方向への前記スプールの回転により前記ケーブルループが短くなるように固定される、ケーブルと、をさらに具備する、請求項１５に記載の防犯装置。
【国際調査報告】
2012524333.tif 000021
2012524333.tif 000022